【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  テレビ放送のディジタルデータ列を受信する受信手段と、
受信されたディジタルデータ列から画像およびシステムデータを復号する復号手段と、
復号されたシステムデータに基づき、復号された画像の再生形態を制御する制御手段とを有し、
前記制御手段は、曜日、時間帯及び放送局の情報を含むレイアウト設定データと現時刻とに基づいて前記再生形態を制御することを特徴とする放送受信装置。
【請求項２】  第２の方式により符号化された画像データを含む第１の方式で符号化されたディジタルデータ列のテレビ放送を受信する受信手段と、
前記第１の方式で符号化されたディジタルデータ列から画像およびシステムデータを復号する第１の復号手段と、
前記第２の方式により符号化された画像データを復号する第２の復号手段と、
復号されたシステムデータに基づき、前記第１および第２の復号手段により復号された画像の再生形態を制御する制御手段と、を有し、
前記制御手段は、曜日、時間帯及び放送局の情報を含むレイアウト設定データと現時刻とに基づいて前記再生形態を制御することを特徴とする放送受信装置。
【請求項３】  前記制御手段は、前記画像データのオブジェクト単位に再生形態を制御することを特徴とする請求項１又は２に記載の放送受信装置。
【請求項４】  前記制御手段は、前記システムデータに基づいて制御対象のオブジェクトを識別することを特徴とする請求項２記載の放送受信装置。
【請求項５】  更に、計時機能を有する計時手段を備え、
前記制御手段は、前記現時刻の情報を前記計時手段より取得することを特徴とする請求項１乃至４のいずれかに記載の放送受信装置。
【請求項６】  前記制御手段は、前記現時刻の情報を前記システムデータより取得することを特徴とする請求項１乃至４のいずれかに記載の放送受信装置。
【請求項７】  更に、前記レイアウト設定データを複数保持する保持手段を備え、
前記制御手段は、前記保持手段が前記現時刻に対応づけられたレイアウト設定データを保持していれば、該レイアウト設定データに基づいて画像の再生形態を制御することを特徴とする請求項１乃至６のいずれかに記載の放送受信装置。
【請求項８】  更に、オブジェクトのレイアウトを曜日、時間帯及び放送局に対応づけてマニュアル設定するための設定手段を備え、
前記設定手段により設定されたレイアウトは、前記オブジェクトのオブジェクト情報とともに、前記レイアウト設定データとして前記保持手段に保持されることを特徴とする請求項７記載の放送受信装置。
【請求項９】  前記制御手段は、前記記憶手段から前記現時刻に対応するレイアウト設定データを読み出し、該レイアウト設定データに対応付けされた前記オブジェクト情報に対応するオブジェクトのレイアウトを変更することを特徴とする請求項８記載の放送受信装置。
【請求項１０】  前記設定手段は、前記オブジェクトの再生を行なうか否か、及び／又は再生位置の変更、及び／又は再生サイズの変更を設定することを特徴とする請求項８記載の放送受信装置。
【請求項１１】  前記制御手段は、前記システムデータにより示される画像の再生形態を調整することを特徴とする請求項１乃至１０のいずれかに記載の放送受信装置。
【請求項１２】  前記復号手段は、前記ディジタルデータ列から画像、サウンド、及びシステムデータを復号し、
前記制御手段は、前記復号されたシステムデータに基づき、復号された画像及びサウンドの再生形態を制御することを特徴とする請求項１記載の放送受信装置。
【請求項１３】  前記制御手段は、サウンドオブジェクトの出力レベルを制御することを特徴とする請求項１２記載の放送受信装置。
【請求項１４】  テレビ放送のディジタルデータ列を受信する受信工程と、
受信されたディジタルデータ列から画像およびシステムデータを復号する復号工程と、
復号されたシステムデータに基づき、復号された画像の再生形態を制御する制御工程と、を有し、
前記制御工程においては、曜日、時間帯及び放送局の情報を含むレイアウト設定データと現時刻とに基づいて前記再生形態を制御することを特徴とする放送受信方法。
【請求項１５】  第２の方式により符号化された画像データを含む第１の方式で符号化されたディジタルデータ列のテレビ放送を受信する受信工程と、
前記第１の方式で符号化されたディジタルデータ列から画像およびシステムデータを復号する第１の復号工程と、
前記第２の方式により符号化された画像データを復号する第２の復号工程と、
復号されたシステムデータに基づき、前記第１および第２の復号工程により復号された画像の再生形態を制御する制御工程と、を有し、
前記制御工程においては、曜日、時間帯及び放送局の情報を含むレイアウト設定データと現時刻とに基づいて前記再生形態を制御することを特徴とする放送受信方法。
【請求項１６】  テレビ放送のディジタルデータ列を受信し、画像を再生するためのプログラムコードが記録された記録媒体であって、前記プログラムコードは少なくとも、
テレビ放送のディジタルデータ列を受信する受信工程のコードと、
受信されたディジタルデータ列から画像およびシステムデータを復号する復号工程のコードと、
復号されたシステムデータに基づき、復号された画像の再生形態を制御する制御工程のコードと、
前記制御工程において、曜日、時間帯及び放送局の情報を含むレイアウト設定データと現時刻とに基づいて前記再生形態を制御するコードと、
を有することを特徴とする記録媒体。
【請求項１７】  第２の符号化方式により符号化された画像データを含む第１の方式で符号化されたディジタルデータ列のテレビ放送を受信して、画像を再生するためのプログラムコードが記録された記録媒体であって、前記プログラムコードは少なくとも、
前記第１の方式で符号化されたディジタルデータ列から画像およびシステムデータを復号する第１の復号工程のコードと、
前記第２の方式により符号化された画像データを復号する第２の復号工程のコードと、
復号されたシステムデータに基づき、前記第１および第２の復号工程により復号された画像の再生形態を制御する制御工程のコードと、
前記制御工程において、曜日、時間帯及び放送局の情報を含むレイアウト設定データと現時刻とに基づいて前記再生形態を制御するコードと、
を有することを特徴とする記録媒体。
【手続補正２】
【補正対象書類名】明細書
【補正対象項目名】００１０
【補正方法】変更
【補正の内容】
【００１０】
本発明にかかる放送受信装置は、テレビ放送のディジタルデータ列を受信する受信手段と、受信されたディジタルデータ列から画像およびシステムデータを復号する復号手段と、復号されたシステムデータに基づき、復号された画像の再生形態を制御する制御手段とを有し、前記制御手段は、曜日、時間帯及び放送局の情報を含むレイアウト設定データと現時刻とに基づいて前記再生形態を制御することを特徴とする。
【手続補正３】
【補正対象書類名】明細書
【補正対象項目名】００１１
【補正方法】変更
【補正の内容】
【００１１】
また、第２の方式により符号化された画像データを含む第１の方式で符号化されたディジタルデータ列のテレビ放送を受信する受信手段と、前記第１の方式で符号化されたディジタルデータ列から画像およびシステムデータを復号する第１の復号手段と、前記第２の方式により符号化された画像データを復号する第２の復号手段と、復号されたシステムデータに基づき、前記第１および第２の復号手段により復号された画像の再生形態を制御する制御手段と、を有し、前記制御手段は、曜日、時間帯及び放送局の情報を含むレイアウト設定データと現時刻とに基づいて前記再生形態を制御することを特徴とする。
【手続補正４】
【補正対象書類名】明細書
【補正対象項目名】００１２
【補正方法】変更
【補正の内容】
【００１２】
本発明にかかる放送受信方法は、テレビ放送のディジタルデータ列を受信する受信工程と、受信されたディジタルデータ列から画像およびシステムデータを復号する復号工程と、復号されたシステムデータに基づき、復号された画像の再生形態を制御する制御工程と、を有し、前記制御工程においては、曜日、時間帯及び放送局の情報を含むレイアウト設定データと現時刻とに基づいて前記再生形態を制御することを特徴とする。
【手続補正５】
【補正対象書類名】明細書
【補正対象項目名】００１３
【補正方法】変更
【補正の内容】
【００１３】
また、第２の方式により符号化された画像データを含む第１の方式で符号化されたディジタルデータ列のテレビ放送を受信する受信工程と、前記第１の方式で符号化されたディジタルデータ列から画像およびシステムデータを復号する第１の復号工程と、前記第２の方式により符号化された画像データを復号する第２の復号工程と、復号されたシステムデータに基づき、前記第１および第２の復号工程により復号された画像の再生形態を制御する制御工程と、を有し、前記制御工程においては、曜日、時間帯及び放送局の情報を含むレイアウト設定データと現時刻とに基づいて前記再生形態を制御することを特徴とする。